(57)【要約】【課題】本発明は、除菌、脱臭性能を高めながら、加湿量を抑制することができる空気浄化装置を提供することを目的とする。【解決手段】そしてこの目的を達成するために本発明は、空気浄化装置として、本体ケース１は吸気口２と吹出口３とを有し、本体ケース１内に送風手段４と空気浄化手段５とを設け、空気浄化手段５は、水を貯水するトレイ６と、トレイ６内の水で電解水を生成する電解ユニット８と、トレイ６内の水に一部が浸漬したフィルター部９とから形成し、送風手段４によって吸気口２から吸い込まれた空気がフィルター部９を介して吹出口３へ送風される構成とし、フィルター部９は中空円筒状に形成し、回転可能にトレイ６に配置され、フィルター部９の回転方向を、空気流路の下流側から電解水の中に入り、空気流路の上流側に移動する方向としたものである。【選択図】図３
2014064743.tif 000002
【特許請求の範囲】
【請求項１】
本体ケースは吸気口と吹出口とを有し、前記本体ケース内に送風手段と空気浄化手段とを設け、前記空気浄化手段は、水を貯水するトレイと、前記トレイ内の水で電解水を生成する電解ユニットと、前記トレイ内の水に一部が浸漬したフィルター部とから形成し、前記送風手段によって前記吸気口から吸い込まれた空気が前記フィルター部を介して前記吹出口へ送風される構成とし、前記フィルター部は中空円筒状に形成し、回転可能に前記トレイに配置され、前記フィルター部の回転方向を、空気流路の下流側から電解水の中に入り、空気流路の上流側に移動する方向としたことを特徴とする空気浄化装置。
【請求項２】
空気流路のフィルター部に対する上流側の風速を、空気流路の前記フィルター部に対する下流側の風速より遅くすることを特徴とする求項１記載の空気浄化装置。
【請求項３】
中空円筒状のフィルター部の上部外面に近接して、空気流路の上流側と下流側を遮蔽する遮蔽部を設け、
前記フィルター部の電解水の含水量が多くなる空気流路の上流側部分を下流側部分よりも表面積を大きく形成することを特徴とする請求項１または２に記載の空気浄化装置。
【請求項４】
フィルター部を中空円筒状に固定する取付枠と、前記取付枠を回動させる回転手段とを備え、前記フィルターの中空円筒内で前記取付枠に風向変更手段を備えることを特徴とする請求項１乃至３のいずれかに記載の空気浄化装置。
【請求項５】
取付枠に前記取付枠を回動する回転中心に回転軸を設け、風向変更手段は、前記回転軸のフィルターの中空円筒内部分に略円筒部分を設ける構造とすることを特徴とする請求項４記載の空気浄化装置。
【発明の詳細な説明】
【技術分野】
【０００１】
本発明は、水に通電することにより得られる電解水を用いて、空気中の細菌、真菌、ウイルス、臭いなどの除去を行う空気浄化装置に関するものである。
【背景技術】
【０００２】
従来のこの種の空気浄化装置の構造は、以下のようになっていた。
【０００３】
すなわち、水を電気分解して電解水を生成させ、この電解水をフィルター部に供給し、空気と電解水を接触させ、空気中に細菌、ウイルス、臭気等の除去を図る構成となっていた（例えば下記特許文献１）。
【先行技術文献】
【特許文献】
【０００４】
【特許文献１】特開２０１２−０５２６９９号公報
【発明の概要】
【発明が解決しようとする課題】
【０００５】
この種の電解水を室内空気に接触させて、細菌、ウイルス、臭気などの除去を行う空気浄化装置においては、除菌脱臭効果を高めるためには、電解水と空気の接触効率を高めることが求められるが、電解水と空気の接触効率を高めることは、水分の蒸発を促し、加湿してしまうという課題があった。
【０００６】
そこで、本発明は上記課題を解決するものであり、除菌、脱臭性能を高めながら、加湿量を抑制することができる空気浄化装置を提供することを目的としている。
【課題を解決するための手段】
【０００７】
そして、この目的を達成するために本発明は、空気浄化装置として、本体ケースは吸気口と吹出口とを有し、前記本体ケース内に送風手段と空気浄化手段とを設け、前記空気浄化手段は、水を貯水するトレイと、前記トレイ内の水で電解水を生成する電解ユニットと、前記トレイ内の水に一部が浸漬したフィルター部とから形成し、前記送風手段によって前記吸気口から吸い込まれた空気が前記フィルター部を介して前記吹出口へ送風される構成とし、前記フィルター部は中空円筒状に形成し、回転可能に前記トレイに配置され、前記フィルター部の回転方向を、空気流路の下流側から電解水の中に入り、空気流路の上流側に移動する方向としたものである。
【０００８】
そして、これら手段により、初期の目的を達成するものである。
【発明の効果】
【０００９】
以上のように本発明は、空気浄化装置として、本体ケースは吸気口と吹出口とを有し、前記本体ケース内に送風手段と空気浄化手段とを設け、前記空気浄化手段は、水を貯水するトレイと、前記トレイ内の水で電解水を生成する電解ユニットと、前記トレイ内の水に一部が浸漬したフィルター部とから形成し、前記送風手段によって前記吸気口から吸い込まれた空気が前記フィルター部を介して前記吹出口へ送風される構成とし、前記フィルター部は中空円筒状に形成し、回転可能に前記トレイに配置され、前記フィルター部の回転方向を、空気流路の下流側から電解水の中に入り、空気流路の上流側に移動する方向としたことを特徴とするものであり、これにより、除菌、脱臭性能を高めながら、加湿量を抑制することができるものである。
【００１０】
すなわち、フィルター部が回転しながら電解水を汲み上げながら、本体内に取り込んだ室内空気を、まず、電解水を多く含んだフィルター部に導入することにより、室内空気と電解水の接触効率を高め、室内空気に含まれる細菌、ウイルス、臭気などをより効率的に電解水に接触させることにより、細菌、ウイルス、臭気などに対する電解水の除去効果を高めることができる。そして、空気流路の下流側で、水をあまり含まないフィルター部を接触することになり、この位置では、比較的水分を多く含んだ空気と、比較的水分を含まないフィルター部が接触することになり、加湿効率は下がることになる。これにより、除菌効果は向上させながら、加湿量を抑制した空気浄化装置を提供することができる。
【図面の簡単な説明】
【００１１】
【図１】本発明の実施の形態１の空気浄化装置の概略図
【図２】同空気浄化装置の概略断面を示す図
【図３】同空気浄化装置のフィルター部の概略構成を示す図
【発明を実施するための形態】
【００１２】
以下、本発明の実施形態について図面を参照しながら説明する。
【００１３】
（実施の形態１）
図１に示すように、本実施形態の空気浄化装置においては、略箱形状の本体ケース１により構成され、本体ケース１の両側面には、略四角形状の吸気口２を設け、また本体ケース１の天面には、略四角形状の吹出口３を設けている。
【００１４】
図２に示すように、この本体ケース１内には、送風手段４と空気浄化手段５を備えている。
【００１５】
送風手段４は、本体ケース１の上部に設けられ、モータとモータにより回転する羽根車とそれらを囲むケースとから構成されるいわゆるシロッコファンとして形成されている。
【００１６】
空気浄化手段５は、水を貯水するトレイ６と、トレイ６に水を供給する給水タンク７と、トレイ６内の水で電解水を生成する電解ユニット８と、トレイ６内の水に一部が浸漬したフィルター部９とから形成されている。
【００１７】
トレイ６は、天面を開口した箱形状をしており、水を貯水できる構造となっており、本体ケース１の下部に配置され、本体ケース１から水平方向にスライドして着脱可能となっている。
【００１８】
給水タンク７は、本体ケース１内部の正面側に、トレイ６に内蔵される形で設置され、トレイ６から着脱可能な構造となっている。給水タンク７は、キャップにより密閉できる構造となっているが、トレイ６に給水タンク７を設置すると、キャップに設けられた水栓が解放され、水がトレイ６に供給される構造となっている。水面が水栓まで上昇してくると、水面により給水タンク７が密閉され、水の供給が停止し、常に一定量の水を供給することができる。
【００１９】
電解ユニット８は、複数枚の電極板で構成されており、この電極板がトレイ６内の水に浸かるように設置され、これらの電極に通電することによりトレイ６内の塩化物イオンを含む水（本実施例では水道水に塩化ナトリウムを溶解させた水）を電気化学的に電気分解することにより、電解水を生成させる。
【００２０】
フィルター部９は、トレイ６において電解ユニット８により生成された電解水と、送風手段４によって本体ケース１内に吸込まれた室内空気とを接触させる部材である。円筒状に構成され、円周部分に空気が流通可能な孔を備えたフィルターを配置し、その一端がトレイ６の電解水に浸漬するように、トレイ６に回転自在に内蔵されている。そして、駆動部（図示しない）による回転され、電解水と室内空気を連続的に接触させる構造となっている。
【００２１】
なお、フィルター部９を構成する材料としては、電解水に反応性の少ない材料、即ち、電解水による劣化が少ない材料、例えばポリオレフィン系樹脂（ポリエチレン樹脂、ポリプロピレン樹脂等）、ＰＥＴ（ポリエチレン・テレフタラート樹脂）、塩化ビニル樹脂、フッ素系樹脂（ＰＴＦＥ、ＰＦＡ、ＥＴＦＥ等）、セルロース系材料又はセラミック系材料等が使用され、本実施例では、ポリエステルが採用される。
【００２２】
以上の構成において、空気浄化装置の動作を説明する。
【００２３】
給水タンク７により水道水がトレイ６に供給される。このときユーザーにより、塩化ナトリウムが同時にトレイ６に投入される。塩化物イオンを含んだ水に対して、電解ユニット８により通電され、電気分解して、活性酸素種を含む電解水を生成する。
【００２４】
ここで、活性酸素種とは、通常の酸素よりも高い酸化活性を持つ酸素分子と、その関連物質のことであり、スーパーオキシドアニオン、一重項酸素、ヒドロキシラジカル、或いは過酸化水素といった所謂狭義の活性酸素に、オゾン、次亜塩素酸（次亜ハロゲン酸）等といった所謂広義の活性酸素を含むものである。
【００２５】
電解水は、フィルター部９の回転によりフィルター部９全体を浸漬し、送風手段４により、吸気口２から本体ケース１内に吸込まれた室内空気と接触することになる。
【００２６】
室内空気とともに本体ケース１内に吸込まれる、空気中の細菌、真菌（カビ）、ウイルス、臭い成分などは、フィルター部９上で、電解水と接触することにより、分解、不活化などがなされ、浄化された空気が、吹出口３から室内に供給されることになる。
【００２７】
本実施例における特徴は、図３に示すように、フィルター部９は中空円筒状に形成し、回転可能にトレイ６に配置され、フィルター部９の回転方向を、空気流路の下流側から電解水の中に入り、空気流路の上流側に移動する方向としたものである。
【００２８】
すなわち、図３中、白抜き矢印が室内空気の流れを示し、塗りつぶし矢印がフィルター部９の回転方向を示している。
【００２９】
また、中空円筒状のフィルター部９の上部外面に近接して、空気流路の上流側と下流側を遮蔽する遮蔽部１０を設け、フィルター部９の電解水の含水量が多くなる空気流路の上流側部分を下流側部分よりも表面積を大きく形成するものであり、空気流路のフィルター部９に対する上流側の風速を、空気流路のフィルター部９に対する下流側の風速より遅くするものである。
【００３０】
すなわち、フィルター部９は遮蔽部１０により風路を隔てられ、室内空気はフィルター部９を２回通過することになる。
【００３１】
また、フィルター部９を中空円筒状に固定する取付枠１１と、取付枠１１を回動させる回転手段（図示せず）とを備え、フィルター部９の中空円筒内で取付枠１１に取付枠１１を回動する回転中心に回転軸１２を設け、風向変更手段１３として、回転軸１２のフィルター部９の中空円筒内部分に略円筒部分を設ける構造とするものであり、空気流路のフィルター部９に対する上流側の風速を、空気流路のフィルター部９に対する下流側の風速より遅くするものである。
【００３２】
すなわち、フィルター部９の中空円筒内も風路として機能することになるが、その風路の一部をこの風向変更手段１３が変更することになり、風路の圧力損失を変更することにより、風速や風向を変更する機能を有することになる。そして本実施例では、フィルター部９の下流側の空気の風速を速めるように風向変更するように設置される。
【００３３】
本実施形態における特徴の効果を説明する。
【００３４】
まず、フィルター部９は中空円筒状に形成し、回転可能にトレイ６に配置され、フィルター部９の回転方向を、空気流路の下流側から電解水の中に入り、空気流路の上流側に移動する方向としたものである。
【００３５】
これにより、フィルター部９が回転しながら電解水を汲み上げ、本体ケース１内に取り込んだ室内空気を、まず、電解水を多く含んだフィルター部９に導入することにより、室内空気と電解水の接触効率を高め、室内空気に含まれる細菌、ウイルス、臭気などをより効率的に電解水に接触させることにより、細菌、ウイルス、臭気などに対する電解水の除去効果を高めることができる。そして、空気流路の下流側では、水をあまり含まないフィルター部９を接触することになり、この位置では、上流側で比較的水分を多く含んだ空気と、比較的水分を含まないフィルター部９が接触することになり、加湿効率は下がることになる。これにより、除菌効果は向上させながら、加湿量を抑制した空気浄化装置を提供することができる。
【００３６】
また、空気流路のフィルター部９に対する上流側の風速を、空気流路のフィルター部９に対する下流側の風速より遅くすることにより、室内空気がより電解水と接触し、除菌、脱臭等の効果の高いフィルター部９の上流側にて、風速を遅くし、空気と電解水の接触時間をより長くとることにより、除菌脱臭効果を高めることができる。さらに、空気流路のフィルター部９の下流側が、風速が速いことになり、空気とフィルター部の接触時間が短くなるので、この部分での加湿量をより低下させることができるので、加湿効率は下がることになる。これにより、トータルとして除菌効果は向上させながら、加湿性能を抑制した空気浄化装置を提供することができる。
【００３７】
具体的には、中空円筒状のフィルター部９の上部外面に近接して、空気流路の上流側と下流側を遮蔽する遮蔽部１０を設け、フィルター部９の電解水の含水量が多くなる空気流路の上流側部分を下流側部分よりも表面積を大きく形成することにより、空気流路のフィルター部９に対する上流側の風速を、空気流路のフィルター部９に対する下流側の風速より遅くすることができるものである。
【００３８】
これにより、室内空気がより電解水と接触するフィルター部９の上流側にて、風速を遅くし、より長い時間空気と電解水の接触時間をとることにより、除菌脱臭効果を高めることができる。さらに、空気流路のフィルター部９の下流側が、風速が速いことになり、空気とフィルター部９の接触時間が短くなるので、この部分での加湿量をより低下させることができるので、加湿効率は下がることになる。これにより、除菌効果は向上させながら、加湿性能を抑制した空気浄化装置を提供することができる。
【００３９】
また、フィルター部９を中空円筒状に固定する取付枠１１と、取付枠１１を回動させる回転手段とを備え、フィルター部９の中空円筒内で取付枠１１に風向変更手段１３を備えることにより、フィルター部９に対する室内空気の風速分布を自在に設定することができ、上記記載の上流側にてフィルター部９への風速を遅くし、下流側にて風速を速くする構成を簡単な構成で実現することができる。これにより、室内空気がより電解水と接触するフィルター部９の上流側にて、風速を遅くし、より長い時間空気と電解水の接触時間をとることにより、除菌脱臭効果を高めることができる。さらに、空気流路のフィルター部９の下流側が、風速が速いことになり、この部分での加湿量をより低下させることができるので、加湿効率は下がることになる。これにより、除菌効果は向上させながら、加湿性能を抑制した空気浄化装置を提供することができる。
【００４０】
また、取付枠１１に取付枠１１を回動する回転中心に回転軸１２を設け、風向変更手段１３は、回転軸１２のフィルター部９の中空円筒内部分に略円筒部分を設けることにより、フィルター部９内における風路断面積が、フィルター部９の上流側における風路断面積より小さくなるのである。なお、風路断面積とは、空気が流れる方向に対する垂直面での面積である。
【００４１】
これにより、上記記載の上流側にてフィルター部９への風速を遅くし、下流側にて風速を速くする構成を簡単な構成で実現することができる。
【００４２】
すなわち、室内空気がより電解水と接触するフィルター部９の上流側にて、風速を遅くし、より長い時間空気と電解水の接触時間をとることにより、除菌脱臭効果を高めることができる。さらに、空気流路のフィルター部９の下流側が、風速が速いことになり、この部分での加湿量をより低下させることができるので、加湿効率は下がることになる。これにより、除菌効果は向上させながら、加湿性能を抑制した空気浄化装置を提供することができる。
【００４３】
以上のように、本実施例によれば、除菌、脱臭性能を高めながら、加湿量を抑制することができる空気浄化装置を簡単な構成で安価に提供することができる。
【産業上の利用可能性】
【００４４】
フィルター部は中空円筒状に形成し、回転可能にトレイに配置され、フィルター部の回転方向を、空気流路の下流側から電解水の中に入り、空気流路の上流側に移動する方向とすることにより、除菌、脱臭性能を高めながら、加湿量を抑制することができる空気浄化装置を簡単な構成で安価に提供することができる。
【００４５】
したがって、家庭用や事務用、公共空間などの、除菌・脱臭などの空気浄化装置としての活用が期待されるものである。
【符号の説明】
【００４６】
１  本体ケース
２  吸気口
３  吹出口
４  送風手段
５  空気浄化手段
６  トレイ
７  給水タンク
８  電解ユニット
９  フィルター部
１０  遮蔽部
１１  取付枠
１２  回転軸
１３  風向変更手段
【図１】
2014064743.tif 000003
【図２】
2014064743.tif 000004
【図３】
2014064743.tif 000005